(57)【要約】【課題】複数の機能を有する複合機（携帯電話＋ディジタル放送受信）で、単純に携帯電話の設計変更を行いディジタル放送受信機能を付加し、付加した構成部と情報を転送する従来のやり方では、携帯電話に関する機能とディジタル放送受信に関する機能の設計が、互いに依存してしまい、汎用性に乏しく、折角設計した機能であっても他の装置への転用が難しいという課題がある。そこで本発明は、携帯電話機能とディジタル放送受信機能の設計は互いに依存しないディジタル放送受信機を提供することを目的とする。【解決手段】本発明の複合機は、テレビアプリケーション部と、電話アプリケーション部と、標準通信部と、共通入出力部と、共通アプリケーション部と、共通情報ストレージ部と、テレビ専用ストレージ部と、電話専用ストレージ部を備える。【選択図】図１
2006287838.tif 000002
【特許請求の範囲】
【請求項１】
複数の機能を有するディジタル複合機であって、
標準通信部と、共通入出力部と、共通アプリケーション部と、共通情報ストレージ部と、
基本アプリケーション部と、一つまたは複数の追加アプリケーション部とを備え、
前記基本アプリケーション部及び前記追加アプリケーション部は、前記標準通信部と前記共通アプリケーション部と前記共通情報ストレージ部を共用し、かつ互いにはデータ及び制御信号について連携させず動作可能なことを特徴とするディジタル複合機。
【請求項２】
前記共通情報ストレージ部は、イベント発生時の転送先を示すイベントテーブルと動作モードに応じて起動させるアプリケーションを示すモードテーブルとを有し、前記イベントテーブルはイベント毎に基本アプリケーション部に転送するか追加アプリケーション部に転送するかを示すデータを格納していることを特徴とする請求項１に記載のディジタル複合機。
【請求項３】
前記標準通信部は、外部通信インターフェイスからの送信元に応じた着信データの転送先を示す着信転送テーブルを有し、前記着信転送テーブルは外部通信インターフェイスからの送信元毎に基本アプリケーション部に転送するか追加アプリケーション部に転送するかを示すデータを格納していることを特徴とする請求項１に記載のディジタル複合機。
【請求項４】
追加アプリケーション部からのみアクセス可能な追加アプリケーション部専用ストレージ部を有し、著作権保護を解除するためのデータを保存することを特徴とする、請求項１に記載のディジタル複合機。
【請求項５】
基本アプリケーション部からのみアクセス可能な基本アプリケーション部専用ストレージ部を有し、外部の通信ネットワークと前記基本アプリケーション部との間で相互認証するためのデータを保存することを特徴とする、請求項１に記載のディジタル複合機。
【発明の詳細な説明】
【技術分野】
【０００１】
本発明は、ディジタル放送受信機能を有する携帯型電話等のディジタル複合機に関するものである。
【背景技術】
【０００２】
近年、携帯電話を始めとする移動体通信機器の機能を拡張し、カメラやアナログテレビなどの付加機能を持たせること一般的になっている。そのため、通信機器の機能拡張をよりやりやすくする構造に関し、ＣＦカードなど動的に追加するデバイスによる方式（例えば特許文献２）や、低速デバイスの一元管理に関する手法（例えば特許文献３）や、仮想機器モジュールにアプリケーションをダウンロードする方式等、各種提案されている（。その一方、標準化団体によるマルチメディアの機能を移動体通信機器の標準機能にする規格化が進んでいる（非特許文献３参照）。
【０００３】
また、テレビ放送の信号をディジタル化したディジタル放送が普及している。現在日本においては、放送衛星を利用した衛星ディジタル放送が行われており、地上波放送もディジタル化され、地上ディジタル放送も普及しようとしている。地上ディジタル放送においては、主に据置のテレビ放送受信機での固定受信以外に、移動中でも携帯端末などで受信できる携帯受信が可能となる（非特許文献２参照）。更に、携帯型の地上ディジタル放送受信機においては、ＰＰＶ（Pay Per View）機能や番組連動などのネットワーク接続機能を必要とするサービスが想定されている（非特許文献１参照）。ディジタル放送番組に関する情報が記載されたメールを受信した場合、番組情報を記憶、管理し、番組の放送時間に合わせて視聴を開始するディジタル放送携帯受信機が提案されている（特許文献１参照）。
【０００４】
携帯電話の機能でディジタル放送受信機の双方向やＰＰＶなどのサービスを実現することは一般的に認識されている（非特許文献１参照）。
【特許文献１】特開２００３−３０９７３４号公報
【特許文献２】特開平７−２９５９０５号公報
【特許文献３】特開平１１−５３１７７号公報
【非特許文献１】NE「デジタル・テレビ」セミナー2004 P.3-P.15、大吉なぎさ、TBS
【非特許文献２】地上波デジタルテレビジョン  運用概要、ARIB TR-B14
【非特許文献３】W-CDMA/UMTS/GSM規格、www.3gpp.org、ETSI
【発明の開示】
【発明が解決しようとする課題】
【０００５】
しかしながら、単純に携帯電話の設計変更して修正し、付加した機能であるディジタル放送受信機能の構成個所と情報を転送する従来のやり方では、携帯電話に関する機能とディジタル放送受信に関する機能の設計は、互いに依存してしまい、汎用性に乏しく、折角設計した機能であっても他の装置への転用が難しいという課題が残っている。
【０００６】
そこで、本発明は、携帯電話機能とディジタル放送受信機能等の複数の機能を有するディジタル複合機で設計が互いに依存しないディジタル複合機を提供することを目的としている。
【課題を解決するための手段】
【０００７】
上記の目的を達成するために、本発明の複合機は、テレビアプリケーション部と、電話アプリケーション部と、標準通信部と、共通入出力部と、共通アプリケーション部と、共通情報ストレージ部と、テレビ専用ストレージ部と、電話専用ストレージ部を備えている。
【０００８】
このような構成により、テレビアプリケーション部は前記電話アプリケーション部ではなく、標準通信部と情報交換ができるので、携帯電話機能とディジタル放送受信機機能の設計は互いに依存することなく行うことができる。
【発明の効果】
【０００９】
以上のように、本発明のディジタル複合機によれば、携帯電話機能とディジタル放送受信機能の双方の設計が互いに影響する部分を少なくでき、ほとんど修正することなく、他機種で利用することができるので、信頼性の向上と設計コストの低減を図ることが可能となる。
【発明を実施するための最良の形態】
【００１０】
以下本発明の実施の形態について図面を用いて詳細に説明する。
【００１１】
図１は、本発明の実施の形態における携帯型ディジタル複合機の構成を示すブロック図である。１０１は電話アプリケーション部（基本アプリケーション部）、１００は電話アプリケーション部の専用ストレージ部、１０２はテレビアプリケーション部（追加アプリケーション部）、１０３はテレビアプリケーション部の専用ストレージ部、１０４は共通入出力部、１０５は標準通信部、１０６は共通アプリケーション部、１０７は共通情報ストレージ部である。
【００１２】
図２は、本発明の実施の形態における携帯型ディジタル複合機の操作面２００（キーボード等）の一例を示す図である。ここで操作面２００上には、テレビと電話を切り換えるためのボタンである”Tel Mode”、”TV Mode”、音量及びチャンネルを切り換えるためのボタンである“Vol+、Ch+”および後述するイベントテーブルの割り当てによりその動作が与えられる番号ボタン“１、２、３、…９”及び電話着信用のボタンが存在する。
【００１３】
また、図３は、本発明の実施の形態における携帯型ディジタル複合機の画面表示の一例を示す模式図であり、図４は、本発明の実施の形態における共通情報ストレージ部１０７に記憶されるイベントテーブル４０１、モードテーブル４０２の各データ構造を示す図である。図４に示すイベントテーブル４０１の例では、イベントと転送先が対になったテーブルが用意されており、Key“１”が押し下げられるというイベント”Key1Press”が発生した場合転送先は“電話アプリケーション部”である旨を意味する。同様にKey“２”がクリックされるというイベント”Key2Click”が発生した場合転送先は“TVアプリケーション部”である旨を意味する。図４に示すモードテーブル４０２の例では、”MODE”と起動方法と表示名が対になって記憶され、例えば“MODE”が”１“の場合は、start1_mode()、”TV Mode”という項目が選択されることを意味する。ここでstart1_mode()は、MODE“１”に対応するアプリケーションが格納されたアドレスを指し示している。
【００１４】
更に、図５は、本発明の実施の形態における標準通信部１０５に記憶される着信転送テーブル５０１のデータ構造を示す模式図である。図５に示す着信転送テーブル５０１の例では、転送条件と転送先が対になって記憶され、例えば転送条件が“電話網信号”であれば、転送先は“電話アプリケーション部”であることを意味するものである。
【００１５】
上記のように構成された本発明の携帯型ディジタル複合機の動作について、更に図６から図１０のフローチャートを用いて説明する。
【００１６】
本発明の実施の形態１にかかる携帯型ディジタル複合機は、テレビアプリケーション部以外の部分はテレビアプリケーション部の存在を意識することなく起動することが可能であり、またユーザがＴＶモードへの切り替え指示ボタンを押下したとき、テレビアプリケーション部１０２は、共通情報ストレージ部１０７のモードテーブル４０２に登録された情報に基づき、起動される。テレビアプリケーション部１０２は、起動時に共通入出力部１０４と標準通信部１０５に必要な情報をイベントテーブル４０１、着信転送テーブル５０１に登録し、標準通信部１０５を用いて双方向、ＰＰＶなどのサービスをユーザに提供する。
【００１７】
以下各動作について説明する。
【００１８】
（１）電源投入時の動作
図６は電源投入時の動作を示すフローチャートである。
【００１９】
電源投入時、本複合機は電話モード（TelMode）で起動される。具体的には、共通アプリケーション部１０６は、共通情報ストレージ部１０７に保存されたモードテーブル４０２を確認し（Ｓ１）、共通入出力部１０４の初期化（Ｓ２）、共通アプリケーション部１０５に格納されているアドレス帳アプリケーション等の初期化（Ｓ３）を行う。具体的には、図４の示す共通情報部１０７に格納されているTelModeに対応するモード“０”で示されたstart0_mode()のプログラムが起動される。更に、電話アプリケーション部１０１と標準通信部１０７の初期化（Ｓ４）が電話専用ストレージ部１００に保存されている加入者識別情報を用いて行なわれる。ここで加入者識別情報は例えば、固有の電話番号、パスワード等の情報である。
【００２０】
（２）イベント発生時の動作
図７は、キーが入力された等のイベント発生時の動作を示すフローチャートである。
【００２１】
ユーザがキー図２に示す操作面からキー入力をしたとき、モード切替の指示か（TelModeからTVModeの切替）、それ以外のキー入力か否かを判定する。共通入出力部１０４はユーザ入力を検出（Ｓ５）し、モード切替の指示かどうかを判断する（Ｓ６）、モード切替であると判断した場合、モードテーブル４０２を参照し、登録した起動方法で所定のモードへの切替を行う（Ｓ７）。（なお、モード切替えに先立ち後述のTVModeの初期化処理を予め実行しておくことが必要である。）モード切替ではないと判断した場合、イベントテーブル４０２に登録された内容で、イベント処理が行われる（Ｓ８）。
【００２２】
（３）テレビモードの初期化の動作
図８は、テレビモードの初期化の処理を示すフローチャートである。
【００２３】
テレビモードの初期を行うためには、テレビアプリケーション部１０２に予め初期データとして記憶された、ＴＶアプリケーション部１０２を動作させるためのプログラムが格納されたアドレス、各イベントが発生したときの転送先、外部の通信インターフェイスからの着信データの転送先を、共通情報ストレージ部１０７のモードテーブル及イベントテーブル、標準通信部１０５の着信転送テーブルに登録されることが必要である。本実施では、図４及び図５に示すように、モードテーブルにはTVMODE(モード１)の起動アドレスとしてstart1_mode()が登録され、イベントテーブルにはKey1Click、key2Clickの各イベントの転送先としてＴＶアプリケーション部が登録され、”Ｐort=20，and IP=10.0.0.1”で示される外部通信インターフェイスからの着信データに対する転送先としてＴＶアプリケーション部が転送先として登録される。
【００２４】
（４）テレビモードでの通信処理の動作
図９は、テレビモードでの通信処理の動作を示すフローチャートである。
【００２５】
テレビモードで、通信を必要とする処理を行うには、テレビアプリケーション部１０２はユーザ指示を共通入出力部１０４より取得（Ｓ１２）したあと、当該指示を処理するには送信が必要かを判断（Ｓ１３）し、送信が必要な場合、送信処理を行う。送信処理において、場合により共通アプリケーション部１０６に保存されるアドレス帳などを用いる。着信転送テーブル５０１への受信した場合の転送先アプリケーションの登録を行う（Ｓ１５）。ただし、標準通信部１０５より通信路が確保できないと判断する場合（Ｓ１４）、処理が行われない。
【００２６】
（５）コンテンツ再生動作
図１０は、著作権保護のあるコンテンツを再生する際の動作を示すフローチャートである。
【００２７】
著作権保護処理が施されたコンテンツを受信した場合、テレビアプリケーション部１０２はコンテンツを受信し（Ｓ１６）、コンテンツが暗号化されているかどうかを判断し（Ｓ１７）、暗号化されている場合、テレビ専用ストレージ部１０３に保存されたデバイスキーなどの情報を用いて暗号を解除する（Ｓ１８）、課金処理が必要かどうかを判断し（Ｓ１９）、必要であると判断した場合、課金情報の処理が行われる（Ｓ２０）、そのあと、コンテンツの再生を行う（Ｓ２１）。
【００２８】
以上の実施例で説明したように、本発明に係る携帯型のディジタル複合機によれば、新規の機能を追加する場合、各々の機能の動作モードの処理、イベント処理、通信処理を、３つの共通のテーブル（モードテーブル、イベントテーブル、着信転送テーブル）に予め定められた方法で新規の機能ブロックから、簡単に登録させることが可能となる。
【００２９】
なお、上記実施例においては、携帯型のディジタル複合機として説明したが、特に携帯型の機器に限定されるものでは無い。
【産業上の利用可能性】
【００３０】
本発明のディジタル複合機によれば、複数の機能、例えばディジタル放送機能と携帯電話機能を互いに依存することなく設計することができるので、有用である。
【図面の簡単な説明】
【００３１】
【図１】本発明の携帯型ディジタル複合機の構成を示すブロック図
【図２】本発明の携帯型ディジタル複合機操作面（キーボード等）の一例を示す模式図
【図３】本発明の携帯型ディジタル複合機の画面表示の一例を示す模式図
【図４】本発明の携帯型ディジタル複合機のイベントテーブルとモードテーブルのデータ構造の一例を示す図
【図５】本発明の携帯型ディジタル複合機の着信転送テーブルのデータ構造の一例を示す図
【図６】本発明の携帯型ディジタル複合機の電源投入時の動作を示すフローチャート
【図７】本発明の携帯型ディジタル複合機のイベント発生時の動作を示すフローチャート
【図８】本発明の携帯型ディジタル複合機のテレビモード初期化処理の動作を示すフローチャート
【図９】本発明の携帯型ディジタル複合機テレビモードで通信処理の動作を示すフローチャート
【図１０】本発明の携帯型ディジタル複合機の著作権保護コンテンツ再生時の動作を示すフローチャート
【符号の説明】
【００３２】
１００    電話専用ストレージ部
１０１    電話アプリケーション部
１０２    テレビアプリケーション部
１０３    テレビ専用ストレージ部
１０４    共通入出力部
１０５    標準通信部
１０６    共通アプリケーション部
１０７    共通情報ストレージ部
２００    操作面のモード切替できるキーボード
３００    現在のモードの画面表示
４０１    共通ストレージ部に保存されるイベントテーブル
４０２    共通ストレージ部に保存されるモードテーブル
５０１    標準通信部に保存される着信転送テーブル
【図１】
2006287838.tif 000003
【図２】
2006287838.tif 000004
【図３】
2006287838.tif 000005
【図４】
2006287838.tif 000006
【図５】
2006287838.tif 000007
【図６】
2006287838.tif 000008
【図７】
2006287838.tif 000009
【図８】
2006287838.tif 000010
【図９】
2006287838.tif 000011
【図１０】
2006287838.tif 000012